(57)【特許請求の範囲】
【請求項１】
スライド家具ドアと、前記家具ドアを収容するためのキャビティを有する装置であって、
家具ドアを、キャビティ内に完全に嵌まり込んだ位置と、キャビティの外側にもたらされた位置との間で移動させるための機械的な駆動装置を有し、前記駆動装置は、前記家具ドアを、前記キャビティ内に完全に嵌まり込んだ位置から、キャビティの外側にもたらされた位置にまで移動せしめるように構成され、前記駆動装置は、前記家具ドアのキャビティ内に完全に嵌まり込んだ位置とキャビティの外側にもたらされた位置との間で成される移動を制御するための屈曲面を有する制御用屈曲部を含み、更に、前記駆動装置は、エネルギー蓄積部材と、エネルギー蓄積部材によって作用される制御部品と、を含み、前記制御部品は、エネルギー蓄積部材の力によって制御用屈曲部の屈曲面に支持され、家具ドアがキャビティ内に完全に嵌まり込んだ位置にあるときエネルギー蓄積部材にエネルギーが蓄積される、装置。
【請求項２】
前記家具ドアの、キャビティ内に完全に嵌まり込んだ位置と、キャビティの外側にもたらされた位置との間で成される移動は、駆動装置により成される、請求項１に記載の装置。
【請求項３】
前記制御用屈曲部は、異なった奥行きに適合させることができる、請求項１に記載の装置。
【請求項４】
前記制御用屈曲部は、互いに回転式に調整することができる第１及び第２のセグメントで構成され、第2セグメントに対し、第1セグメントを所定の位置に調整することができる、請求項１叉は３に記載の装置。
【請求項５】
エネルギー蓄積部材は、少なくとも1つの引っ張りバネで構成される、請求項１に記載の装置。
【請求項６】
前記制御部品は、ローラー形態である、請求項１から５のいずれか一項に記載の装置。
【請求項７】
前記制御用屈曲部は、家具ドアに対して固定的に配置され、エネルギー蓄積部材によって作用される制御部品は、家具ドアのベース固定部品を介して家具ドアに取り付けられる、請求項１から３のいずれか一項に記載の装置。
【請求項８】
前記制御用屈曲部は、前記キャビティを特定する側面の面上に固定して配置される、請求項１から３、７のいずれか一項に記載の装置。
【請求項９】
駆動装置に取り付けられた制御部品は、制御用屈曲部の上側または下側に支持される、請求項１から８のいずれか一項に記載の装置。
【請求項１０】
前記家具ドアが前記キャビティ内に完全に嵌まり込んだ位置にあるとき、駆動装置に取り付けられた制御部品は、制御用屈曲部の最高点または最低点に位置する、請求項１から９のいずれか一項に記載の装置。
【請求項１１】
家具ドアがキャビティの外側の位置にあるときに、駆動装置は、家具ドアに抑制力を加える請求項1から１０のいずれか一項に記載の装置。
【請求項１２】
キャビティ内に完全に嵌まり込んだ位置にある家具ドアを解放可能にロックするロック装置を備え、キャビティ内に完全に嵌まり込んだ位置よりさらに後ろの押し込み位置に向けて家具ドアを押し込むことによって、ロック装置のロックを解除することができる、請求項1から１１のいずれか一項に記載の装置。
【請求項１３】
前記家具ドアは、互いに蝶番式に連結された少なくとも2枚のドア片を含み、2枚のドア片は、折り畳まれた位置と広がった位置とを取ることができ、折り畳まれた位置から開始して少なくとも2枚のドア片を広げた位置に広げるための展開装置を含む請求項1から１２のいずれか一項に記載の装置。
【請求項１４】
家具ドアがキャビティ内に完全に嵌まり込んだ位置に達する直前に家具ドアの動きを減衰させるためのダンパー装置、および/または家具ドアがキャビティの外側の位置に到達する直前に家具ドアの動きを減衰させるためのダンパー装置を備える請求項1から１３のいずれか一項に記載の装置。
【請求項１５】
更に、家具枠組みを備えた家具の部品を有し、キャビティは、側部領域において、家具カーカス内に形成され、家具の部品は、家具ドアによって閉じられることができる、請求項1から１４のいずれか一項に記載の装置。
【請求項１６】
家具の部品は、食器棚である、請求項1から１５のいずれか一項に記載の装置。
【請求項１７】
請求項１から１６のいずれか一項に記載の装置のための駆動装置。
【発明の詳細な説明】
【技術分野】
【０００１】
本発明は、家具ドア、特に折り畳み式スライドドアと、家具ドアを収容するための、特にチャンバ形成されたキャビティとを有する装置に関する。
【０００２】
このような装置は、例えばＥＰ特許ＥＰ０４３３７２Ｂ１号またはドイツ特許ＤＥ４３０８１９６Ａ１号に開示されている。
【０００３】
従来における装置の問題点は、特に重い家具のドアであるという事実である。例えば折り畳み式スライドドアがそうである。折り畳み式スライドドアは、複数のドア片から構成され、家具ドアの取り扱いに、ユーザは、肉体的労力を必要とする。特に、家具のドアをキャビティ内に格納する場合には、労力を使う。
【発明の概要】
【発明が解決しようとする課題】
【０００４】
本発明の目的は、従来技術の装置に対し、改良された構成を提供し、それにより上述の問題を回避することである。
【課題を解決するための手段】
【０００５】
この目的は、請求項１の構成によって達成される。
【０００６】
本発明による装置は、キャビティ内に完全に嵌まり込んだ位置とキャビティの外側にもたらされた位置との間で家具ドアを動かす機械的な駆動装置を含む。これにより、家具ドアをキャビティ内への移動や、キャビティから外への移動が容易になる。
【０００７】
さらに、駆動装置は、家具ドアをキャビティ内に完全に嵌まり込んだ位置からキャビティの外側にもたらされた位置に移動させるように構成されている。この場合、キャビティ内からの家具ドアの移動は自動的に行われる。
【０００８】
本発明の好ましい実施形態では、駆動装置は、家具ドアをキャビティ内に完全に嵌まり込んだ位置とキャビティの外側にもたらされた位置との間の全移動を駆動することができる。
【０００９】
これは、キャビティ内に完全に嵌まり込んだ位置とキャビティの外側にもたらされた位置との間で移動する家具ドアの全移動距離に亘って駆動装置が作用していることを意味する。これは、ユーザは、移動の開始を補助すること以外は、前記位置間で家具ドアを動かす必要がないので、非常に有益である。
【００１０】
駆動装置が、キャビティ内に完全に嵌まり込んだ位置とキャビティの外側にもたらされた位置との間で家具ドアの動きを制御するための制御用屈曲部を含むので、さらに有益である。このような制御用屈曲部を設けることは、駆動装置によって加えられる駆動力が計量された方法で所定の運動パターンに従って家具ドアに伝達され得るという利点を有する。このようにして、特に強弱の調子を伴う運動シーケンスを実現することができる。たとえば、最初、キャビティ内に完全に嵌まり込んだ位置にある家具ドアを高い力で駆動し、その後ブレーキが加わり、最終的には遅いスピードでキャビティの外側の位置に到達させる。このようにして、キャビティの近くにいる人への傷害およびキャビティの外側の位置に到達する直前に家具ドアの動きを減衰させるための制動装置の損傷が防止される。
【００１１】
この実施形態の有利な改良は、制御用屈曲部をキャビティの深さ（奥行）に応じて適合させることができることである。この目的のための制御用屈曲部は、互いに調整可能な少なくとも２本のセグメントで構成される。この場合、奥行の異なるキャビティに対しても常に同じ制御用屈曲部を用いることができ、製造コストを低減することができる。
【００１２】
代替的または追加的に、駆動装置は、好ましくは少なくとも１本の引っ張りバネの形態のエネルギー蓄積部材と、制御部品を含む。制御部品は、エネルギー蓄積部材によって作用され、制御部品は、エネルギー蓄積部材の力で制御用屈曲部に当接する。制御部品は好ましくはローラーの形態である。
【００１３】
これにより、制御用屈曲部は、家具ドアに対して固定的に配置することができ、好ましくはキャビティを制限する面の上に配置する。エネルギー蓄積部材によって作用される制御部品は、好ましくは家具ドアのベース固定部品によって、またはその逆に、家具ドアに結合することができる。
【００１４】
さらに、駆動装置における制御部品の取り付け位置は、制御用屈曲部の上側または下側で支持されるように、２つの基本的な構成が可能である。
【００１５】
駆動装置における制御部品の取り付け位置を考慮したときや、家具ドアが完全に嵌まり込んだ位置に配置されているとき、制御部品が、制御用屈曲部の最上点または最下点を取るときに有益である。
【００１６】
本発明の有益な改良は、家具ドアがキャビティ内に完全に嵌まり込んだ位置に配置されているとき、駆動装置が家具ドアに駆動力を加えるという点にある。および/または、駆動装置は、家具ドアがキャビティの外側にもたらされた位置に配置されるとき、家具ドアに抑止力を加える。第１のケースでは、完全に嵌まり込んだ位置に配置されている家具ドアをキャビティから容易に移動させることができる。第２のケースでは、早期にキャビティ内への意図せぬ押し込み運動が防止される。
【００１７】
また、この装置は、家具ドアをキャビティ内に完全に嵌まり込んだ位置に解放可能にロックするロック装置を含む。ここで、ロック装置は、好ましくは家具ドアを、完全に嵌まり込んだ位置よりさらに後ろの押し込み位置に向けて家具ドアを押し込むことによって、ロック装置のロックを解除することができる。このようなロック装置は、公知であるが、キャビティ内にある家具ドアの解放可能な固定とは関連していない。このようなロック装置の提供は、家具ドアがキャビティ内に安全に保管されるとき、特に有利である。この場合、駆動装置は、キャビティの外側の位置に向かう方向に少なくとも駆動力を加えている。
【００１８】
家具ドアは、互いに連結され、折り畳み位置および広げられた位置をとることができる少なくとも２枚のドア片を含む。少なくとも２枚のドア片を折り畳まれた位置から展開された位置に広げるための展開装置を含むときに有益である。
【００１９】
このようにして、例えば、家具ドアが、折り畳まれた状態で、完全に嵌まり込んだ位置に配置されるように動作シーケンスを実現することができる。その後、駆動装置は、家具ドアをキャビティから移動させ、そして、駆動装置によって家具ドアは、キャビティから排出される。その後、少なくとも２枚のドア片を完全に開くため、すなわち、２枚のドア片が共通の平面内に位置させるため、または互いに平行な平面内に位置させるため展開装置が動作するが、ユーザは曲げ領域内の広がったドア片に小さな力を加えるだけでよい。ただし、ドア片は、レールシステムなどに支持される。
【００２０】
有益な移動シーケンスは、次のようにして実現することができる。すなわち、ダンパー装置を用い、キャビティ内に完全に嵌まり込んだ位置に達する直前に家具ドアの動きを減衰させるためのダンパー装置を含む。および/またはキャビティの外側の位置に達する直前に家具ドアの動きを減衰させるためのダンパー装置とを含む。
【００２１】
好ましくは、家具カーカス（家具枠組み）を備えた家具の部品、好ましくは食器棚を含む。ここでキャビティは、好ましくは側部領域において家具カーカス内に形成され、家具の部品は家具ドアによって閉じることができる。
【００２２】
本発明による装置のための駆動装置についても保護が求められる。
【図面の簡単な説明】
【００２３】
【図１】第１実施形態に基づくキャビネットの斜視図。
【図２ａ】第１実施形態に基づく収納式ドアの部分斜視図で、キャビネットの後壁に付けた駆動装置を示す。
【図２ｂ】第１実施形態に基づく収納式ドアの部分斜視図で、家具を前方から見た場合の駆動装置の部分を示す。
【図２ｃ】第１実施形態に基づく収納式ドアの斜視図で、家具の全体を示す。
【図３ａ】第１実施形態に基づく収納式ドアの部分斜視図で、キャビネットの後壁に付けた駆動装置を示す。
【図３ｂ】第１実施形態に基づく収納式ドアの部分斜視図で、家具を前方から見た場合の駆動装置の部分を示す。
【図３ｃ】第１実施形態に基づく収納式ドアの斜視図で、家具の全体を示す。
【図４ａ】第１実施形態に基づく収納式ドアの部分斜視図で、キャビネットの後壁に付けた駆動装置を示す。
【図４ｂ】第１実施形態に基づく収納式ドアの部分斜視図で、家具を前方から見た場合の駆動装置の部分を示す。
【図４ｃ】第１実施形態に基づく収納式ドアの斜視図で、家具の全体を示す。
【図５ａ】第１実施形態に基づく収納式ドアの部分斜視図で、キャビネットの後壁に付けた駆動装置を示す。
【図５ｂ】第１実施形態に基づく収納式ドアの部分斜視図で、家具を前方から見た場合の駆動装置の部分を示す。
【図５ｃ】第１実施形態に基づく収納式ドアの斜視図で、家具の全体を示す。
【図６ａ】第１実施形態に基づく収納式ドアの部分斜視図で、キャビネットの後壁に付けた駆動装置を示す。
【図６ｂ】第１実施形態に基づく収納式ドアの部分斜視図で、家具を前方から見た場合の駆動装置の部分を示す。
【図６ｃ】第１実施形態に基づく収納式ドアの斜視図で、家具の全体を示す。
【図７ａ】第１実施形態に基づく収納式ドアの対向する部品の動きを示す概略図。
【図７ｂ】第１実施形態に基づく収納式ドアの対向する部品の動きを示す概略図。
【図７ｃ】第１実施形態に基づく収納式ドアの対向する部品の動きを示す概略図。
【図７ｄ】第１実施形態に基づく収納式ドアの対向する部品の動きを示す概略図。
【図７ｅ】第１実施形態に基づく収納式ドアの対向する部品の動きを示す概略図。
【図８】第１実施形態に基づく収納式ドアの駆動装置の分解図。
【図９ａ】第２実施形態に基づく収納式ドアを備えた家具の部分の斜視図。
【図９ｂ】第２実施形態に基づく収納式ドアを備えた家具の部分の側面図。
【図９ｃ】第２実施形態に基づく収納式ドアの駆動装置の部品の拡大図。
【図１０ａ】第２実施形態に基づく収納式ドアを備えた家具の部分の側面図。
【図１０ｂ】第２実施形態に基づく収納式ドアの駆動装置の部品の拡大図。
【図１１ａ】第２実施形態に基づく収納式ドアを備えた家具の部分の側面図。
【図１１ｂ】第２実施形態に基づく収納式ドアの駆動装置の部品の拡大図。
【図１２】第２実施形態に基づく収納式ドアの駆動装置の分解図。
【図１３ａ】第２実施形態に基づく制御用屈曲部が異なった深さのキャビティに対応する様子を示す、家具の側面図。
【図１３ｂ】第２実施形態に基づく制御用屈曲部が異なった深さのキャビティに対応する様子を示す、制御用屈曲部の部分拡大図。
【図１３ｃ】第２実施形態に基づく制御用屈曲部が異なった深さのキャビティに対応する様子を示す、家具の側面図。
【図１３ｄ】第２実施形態に基づく制御用屈曲部が異なった深さのキャビティに対応する様子を示す、制御用屈曲部の部分拡大図。
【図１３ｅ】第２実施形態に基づく制御用屈曲部が異なった深さのキャビティに対応する様子を示す、家具の側面図。
【図１３ｆ】第２実施形態に基づく制御用屈曲部が異なった深さのキャビティに対応する様子を示す、制御用屈曲部の部分拡大図。
【発明を実施するための形態】
【００２４】
図1は、食器棚の形態で示される家具23としての第1のアイテムを示し、家具カーカス（家具枠組み）25を含む。家具カーカス25は、互いに平行に配置された複数の側壁29，17，30、部分的な部品31を含む後壁、カバープレート28、ベースプレート32（図2c参照）、及び家具23を閉めることができる家具用ドア1で構成される。互いに間隔を置いて配置された側壁17，30と、後壁の部品31は、空間を形成するキャビティ2を特定するための形成面を規定する。側壁17,30の幅、すなわち食器棚23の幅は、キャビティ2の奥行き5を特定する。家具用ドア1はヒンジ37を介してベース固定部品18に固定されている。ベース固定部品18は、以下の図に示すように、駆動装置に動作可能に接続されている。
【００２５】
図８の分解図に示す様に、駆動装置はおよそ次の構成要素を含む。制御用屈曲部３は上面４１を有し、この制御用屈曲部３は家具カーカス２５の側面１７、すなわちキャビティ２を限定する面に取り付けられている。駆動装置の取り付けは、ローラーの形態を有する制御部品１５が制御用屈曲部３の上面４１に支持され、このローラーはボルト４０を介してスライダ４２に取り付けられる。スライダ４２は、２つのガイド部材４３，４５と支持部材４４とから構成されたガイドに直線的に移動可能に取り付けられており、それによって、スライダとガイドを家具ドア用のベース固定部品１８に取り付けることができる。スライダ４２及び制御部品１５は、エネルギー蓄積部材である２本の引っ張りバネ１２及び１３によって作用される。引っ張りバネ１２及び１３の第１の端部はそれぞれスライダ４２に接続され、第２の端部はスプリングテンショナ４６によって保持されている。スプリングテンショナ４６は、支持部材４７上に調節可能に配置されている。支持部材４７にあるスプリングテンショナ４６の調整により、ばね力を異なるように調整することができる。
【００２６】
図２ないし図６のシーケンスを参照して、家具ドア１を開けたときに、家具ドア１をキャビティ２内に保管したい場合を説明する。
【００２７】
図２ｃは、キャビティ２の外側に家具ドア１がある場合を示す。この位置では、駆動装置は家具ドア１に拘束力を加える。なぜなら、制御部品１５は、キャビティ２内に完全にはまり込む位置の方向にある場合、制御用屈曲部３の上昇斜面に乗っているからである。また、引っ張りバネ１２および１３は、この状態ではわずかな予応力を有しており、従って、互いに引っ込む傾向にある。これは、家具ドア１をキャビティ２内に移動させるためには、操作者が駆動装置の抑制力に対向して最初に押す必要があることを意味する。対向して押す必要のある前記抑制力は、家具ドア１が初期段階でキャビティ内に勝手に移動することを防止する。初期段階とは、例えば家具ドア１がまだ完全に開かれていない状態にあるとき、すなわち、家具ドア１がキャビティ２の長手方向の平面にまだ完全に一致していない位置にあるときを言う。
【００２８】
図２に示す位置から図３に示す位置に移行すると、制御部品１５は、制御用屈曲部３の上昇斜面に沿って上方に案内され、それにより、エネルギー蓄積部に幾分かのエネルギーが蓄積される。
【００２９】
制御用屈曲部３のローカルの最上点を過ぎると、制御部品１５は、最下点の位置の方向に移動し、図４に示す位置に到達する。
【００３０】
図３に示す位置から始まり、図４に示す位置に至ると、エネルギー蓄積部に蓄積されたエネルギーは解放され、それによってベース固定部品１８の加速を支援し、それによって家具ドア１の加速も支持する。このようにして、家具ドア１のキャビティ２への押し込み運動が容易になる。
【００３１】
図４に示す位置に来ると、エネルギー蓄積部である引っ張りバネ１２および１３は、エネルギーの蓄積量が最も低い程度の状態にもたらされる。慣性により、家具ドア１は、エネルギー蓄積部を続けてエネルギー蓄積動作に向けて働くようにさらに移動され、エネルギー蓄積動作は、家具ドア１がキャビティ内に完全にはまり込む位置に達すると終了する（図６参照）。図５は中間位置を示す。
【００３２】
家具ドア１がキャビティ内に完全にはまり込んだ位置に達すると（図６参照）、エネルギー蓄積部に蓄積されたエネルギーの影響により家具ドア１がキャビティ２から直ちに引き戻されることを防止するために、家具ドア１のロックが一方で行われる。前記ロックを実現するために、前記ベース固定部品１８上に配置された第１ロックユニット１９と、それと協働する第２ロックユニット２０とで形成されるロック装置を含む。第２ロックユニット２０はカーカス側に配置されている。
【００３３】
キャビティ２内に家具ドア１が完全にはまり込む位置にスムーズに到達するために、家具ドア１の動きを減衰させるためのダンパー装置２１をさらに含む。ダンパー装置２１はベース固定部品１８上に配置されたストッパ３９と協働する。
【００３４】
図４から図６の遷移時に制御部品１５が遭遇する上昇斜面は、家具ドア１の慣性によって生じる自然速度でわずかな抵抗しか感じないように構成されている。
【００３５】
制御用屈曲部３は上面４１を有し、制御用屈曲部３は、本実施形態では、家具用カーカス２５の側面１７、すなわち空洞２の制限面に取り付けられている。駆動装置の取り付け位置について説明すると、ローラーの形態で提供される制御部品１５が制御用屈曲部３の上面４１に支持され、該ローラーはボルト４０を用いてスライダ４２上に取り付けられる。この部分において、スライダ４２は、直線的に移動可能にガイドに取り付けられている。ガイドは２つのガイド部材４３，４５と支持部材４４とで構成されており、スライダのガイドは家具ドア１のベース固定部品１８に取り付けられている。制御部品１５と共にスライダ４２は、２つの引っ張りバネ１２，１３の形態で提供されるエネルギー蓄積部材により作用される。これらの引っ張りバネ１２，１３の第１の端部はそれぞれスライダ４２に接続され、スプリングテンショナ４６によって保持される。スプリングテンショナ４６は、支持部材４７上に調整可能に配置される。支持部材４７上のスプリングテンショナ４６の位置調整により、異なるバネ力に設定することができる。
【００３６】
図２から図６に示すシーケンス位置を参照して、家具ドア１を開けたときに、家具ドア１をキャビティ２内に保管する場合を説明する。
【００３７】
図２ｃは、家具ドア１がキャビティ２の外側に位置する場合を示す。この位置では、駆動装置は家具ドア１に抑制力を加える。なぜなら、制御部品１５は、キャビティ２の中に嵌まり込む方向に対し、制御用屈曲部３の上昇斜面に配置されているからであり、また、引っ張りバネ１２，１３は、この状態では、わずかな引っ張り力を有しており、いずれも収縮する傾向にあるからである。これは、家具ドア１をキャビティ２内に収納させるためには、ユーザが最初に駆動装置の抑制力を克服する必要があることを意味する。克服する必要のある抑制力を設けることにより、家具ドア１が早期の段階でキャビティ内に収納されてしまうことを防止する。早期の段階とは、例えば家具ドア１がまだ完全に開かれていないときや、家具ドア１がキャビティ２の長手方向の延長線で特定される平面内にまだ完全には位置合わせされていないときも含む。
【００３８】
図２に示す位置から図３に示す位置に移行すると、制御部品１５は、制御用屈曲部３の上昇斜面に沿って上方に案内され、それにより、エネルギー蓄積部にはわずかにエネルギーが蓄積される。
【００３９】
制御用屈曲部３のローカルな最上点が克服された後、制御部品１５は、更に最下点の方向に移動し、図４に示す位置に到達する。
【００４０】
図３に示す位置から図４に示す位置に移行する間、エネルギー蓄積部に蓄積されたエネルギーは解放され、それによってベース固定部品１８を加速し、それと共に家具ドア１の加速も追随する。このようにして、家具ドア１のキャビティ２への押し込み運動が容易になる。
【００４１】
図４に示す位置では、エネルギー蓄積部である引っ張りバネ１２，１３は、最も低い引っ張り強度で引っ張っている。慣性により、家具ドア１は、さらに移動し、エネルギー蓄積部材によるエネルギー蓄積動作を行い、蓄積動作が完了するのは、家具ドア１がキャビティ内に完全に嵌まり込む位置に達するときである（図６参照）。図５は、それに至る中間位置を示す。
【００４２】
キャビティ２内に完全に嵌まり込んだ位置に達すると（図６参照）、家具ドア１はロックされ、チャージされたエネルギー蓄積部材の影響により、家具ドア１が直後にキャビティ２から押し出されることを防止する。このロックを実現するために、ロック装置を有する。ロック装置は、ベース固定部品１８上に配置された第１ロックユニット１９と、それと協働する第２ロックユニット２０とで形成される。第２ロックユニット２０は、カーカス側に配置されている。
【００４３】
キャビティ２内に完全に嵌まり込んだ位置に円滑に到達するために、家具ドア１の動きを減衰させるためのダンパー装置２１をさらに含む。ダンパー装置２１は、ベース固定部品１８に配置されたストッパ３９と協働する。
【００４４】
さらに、制御部品１５が図４の位置から図６の位置に至るまでの間に存在する上昇斜面は、ユーザがわずかな抵抗しか感じないように、すなわち、家具ドア１がその慣性動作による自然速度で動くように、構成されている。
【００４５】
図７ａ〜図７ｅは、家具ドア１の移動シーケンス、すなわち、キャビティ２内に完全に嵌まり込んだ位置からキャビティ２の外側に送り出された位置に向かって移動する家具ドア１の動きを示す。この動きは、家具ドア１が完全に嵌まり込んだ位置から更に進んだ押し込み位置に家具ドア１を押し込むことによって開始される。これにより、ロックユニット１９，２０のロックが解除される。エネルギー蓄積部材に蓄積されたエネルギーは、ベース固定部品１８に伝達され、このベース固定部品１８に蝶番を用いて接続された家具ドア１が外向きに加速される。ここで、制御用屈曲部３の勾配は、最初の加速度が非常に高くなるように選択されている。このようにして、システムの動作を再現することができる。
【００４６】
加速過程（図７ｂ参照）にある間、ユーザの関与は必要ではない。制御用屈曲部３の最下点に達すると、家具ドア１の飛び出し速度は最大に達し、そこからブレーキ操作が開始される。家具ドア１がキャビティ２の外側の位置に達すると速度を低下させるためにブレーキ操作は、必要である。
【００４７】
これにより、キャビティ２の外側の位置に到達する直前に家具ドア１の動きを緩衝させるダンパー装置２２の損傷を防止することができると共に、キャビティ２の辺りに居るユーザの危害を防ぐことができる。
【００４８】
図７ｄの位置に達すると、ブレーキ動作が終了し、ダンパー装置２２が作動する。
【００４９】
図７ｅの状態に達すると、図２で示した初期位置と同じとなり、家具駆動装置１はユーザによって閉じられることができる。
【００５０】
図９〜図１３を参照して、第２実施形態について説明する。第２実施形態は、制御用屈曲部を調整してキャビティの深さを調節することができる点で、第１実施形態と異なる。このため、制御用屈曲部は、互いに調整可能な少なくとも２つのセグメントから構成される。
【００５１】
図９ａは、第２実施形態の家具２４の部分の斜視図で示す。家具２４の基本構造は、図１に示す家具２３に対応する。カバープレート３３、ベースプレート３４、側壁３５および後壁の一部３６が示されている。
【００５２】
側壁３５の奥行は、キャビティの奥行き６を規定する。キャビティは、側壁３５、後壁の一部３６、および側壁３５と平行に存在する別の側壁（図示せず）によって特定される。この別の側壁は、この第２実施形態による構成を隠すことなく見ることができるようにするため、この図および以下の図において不図示である。家具のカーカスは、符号２６で示されている。
【００５３】
側壁３５には、スライダ４８を案内するためのガイド部材３８が配置されており、ガイド部材３８は、ベース固定部品２７に接続されている。家具ドアは、ベース固定部品２７に回動可能に取り付けられている。
【００５４】
第２実施形態に係る駆動装置の基本的な構成要素は、図１２の分解図で示されている。駆動装置は、第１レバー５１を含み、その第１端はベース固定部品２７に回転可能に取り付けられる。第１レバー５１の第２端には、制御用屈曲部４が配置されており、制御用屈曲部４は、互いに調整可能な２つのセグメント１０，１１で構成される。この調整は、回転式調整であり、共通の回動軸６０の周りを回転させて調整する。第２セグメント１１に対し、第１セグメント１０を所定の位置に固定するために、固定手段として複数の孔５９と、対応する複数のねじ孔とが設けられており、そこにねじを収容する。
【００５５】
レバー５１の第２端には、別のレバー５２の第１端が回転可能に接続され、レバー５２の第２端は家具のカーカス２６に回転可能に取り付けられている。
【００５６】
レバー５１，５２をベース固定部品２７および家具カーカス２６にそれぞれ回転可能に取り付けるために、くさび状部材４９，５０が設けられている。
【００５７】
駆動装置の動作しても、レバー５１と制御用屈曲部４との相対位置は変化しない。対照的に、第２のレバー５２と制御用屈曲部４の相対位置は変化する。
【００５８】
第２のレバー５２には、ハウジング５３が設けられており、そこにエネルギー蓄積部材である圧縮バネ１４を収容する。ハウジング５３内には、エネルギー蓄積部材を介して摺動部材５４が挿入され、エネルギー蓄積部材の作用によって摺動部材５４はハウジング５３内で移動可能である。摺動部材５４の一端には軸受５５が設けられ、そこに制御部品１６であるローラーが配置されている。制御部品１６は、エネルギー蓄積部材の力によって制御用屈曲部４に対して加圧される。より詳しくは、駆動装置が組み立てられた場合における制御用屈曲部４の上側に対して加圧される。
【００５９】
図９，１０，１１のシーケンスに示すように、家具ドア１がキャビティの外側の位置からキャビティ内に完全に嵌まり込んだ位置に向かって移動する場合、制御部品１６は、第１実施形態の場合と同じように、同じ様な勾配を受ける、すなわち同じような最上点および最下点を通る。これは、当然、家具ドア１がキャビティ内に完全に嵌まり込んだ位置からキャビティ外の位置に移動する際の移動シーケンスも、第１実施形態の場合と同様の動作をすることを意味する。また、キャビティ内に完全に嵌まり込んだ位置に達する直前の家具ドアの緩衝機能およびロック機能は、第１実施形態の場合と同様な構成で作用する。
【００６０】
上述したように、この実施形態の主な特徴点は、制御用屈曲部４を異なる深さに適合させることができることである。図１３ａ〜図１３ｆは、奥行が異なるキャビティへの適合を示しており、それに伴い、奥行が異なる家具にも適合する。図１３ａ、１３ｃおよび１３ｅでは、異なる奥行７，８，９を有するキャビティが示されている。制御用屈曲部４に対する制御部品１６の開始位置および終了位置がそれぞれ同じであることを確保するため、セグメント１０，１１の相対角度位置５６，５７，５８は、図１３ｂ、図１３ｄおよび図１３ｆ  に示したように、固定部材５９によって適合な位置に固定されている。奥行７，８，９は、例えば、キャビティの深さが７５０ｍｍ，６５０ｍｍ，５５０ｍｍの場合に対応する。
【図１】
0006712593.tif 000002
【図２ａ）】
0006712593.tif 000003
【図２ｂ）】
0006712593.tif 000004
【図２ｃ）】
0006712593.tif 000005
【図３ａ）】
0006712593.tif 000006
【図３ｂ）】
0006712593.tif 000007
【図３ｃ）】
0006712593.tif 000008
【図４ａ）】
0006712593.tif 000009
【図４ｂ）】
0006712593.tif 000010
【図４ｃ）】
0006712593.tif 000011
【図５ａ）】
0006712593.tif 000012
【図５ｂ）】
0006712593.tif 000013
【図５ｃ）】
0006712593.tif 000014
【図６ａ）】
0006712593.tif 000015
【図６ｂ）】
0006712593.tif 000016
【図６ｃ）】
0006712593.tif 000017
【図７】
0006712593.tif 000018
【図８】
0006712593.tif 000019
【図９ａ）】
0006712593.tif 000020
【図９ｂ）】
0006712593.tif 000021
【図９ｃ）】
0006712593.tif 000022
【図１０ａ）】
0006712593.tif 000023
【図１０ｂ）】
0006712593.tif 000024
【図１１ａ）】
0006712593.tif 000025
【図１１ｂ）】
0006712593.tif 000026
【図１２】
0006712593.tif 000027
【図１３ａ）】
0006712593.tif 000028
【図１３ｂ）】
0006712593.tif 000029
【図１３ｃ）】
0006712593.tif 000030
【図１３ｄ）】
0006712593.tif 000031
【図１３ｅ）】
0006712593.tif 000032
【図１３ｆ）】
0006712593.tif 000033